(57)【要約】【課題】短時間で容易に電柱に取り付けることができ、電柱の切断や撤去も容易で、撤去作業時の電柱の中段折損を防止することができる電柱補強工具を提供する。【解決手段】１対の第１補強長尺材１１が、既設の電柱１の足場ボルト２を挿入可能な複数の取付孔２１ｃ、２２ｅを有する。各第１補強長尺材１１は足場ボルト２を取付孔２１ｃ、２２ｅに挿入して、互いに電柱１を挟んで電柱１の側面長さ方向に沿って取り付けられる。１対の第２補強長尺材１２が、第１補強長尺材１１に対して電柱１の円周方向にずれた位置で、互いに電柱１を挟んで電柱１の側面長さ方向に沿って取り付けられる。固定バンド１３が、電柱１との間に第１補強長尺材１１および第２補強長尺材１２を挟んで電柱１に巻き付けられて第１補強長尺材１１および第２補強長尺材１２を電柱１に固定可能に設けられている。【選択図】図４
0003177663.tif 000002
【実用新案登録請求の範囲】
【請求項１】
補強長尺材と複数の固定バンドとを有し、
前記補強長尺材は、既設の電柱の足場ボルトを挿入可能な取付孔を有し、前記足場ボルトを前記取付孔に挿入して前記電柱の側面長さ方向に沿って取り付けられ、
前記固定バンドは前記電柱との間に前記補強長尺材を挟んで前記電柱に巻き付けられて前記補強長尺材を前記電柱に固定可能に設けられていることを、
特徴とする電柱補強工具。
【請求項２】
前記補強長尺材は複数の部材を連結して成ることを、特徴とする請求項１記載の電柱補強工具。
【請求項３】
前記取付孔は前記補強長尺材の長さ方向に直列に複数設けられていることを、特徴とする請求項１または２記載の電柱補強工具。
【請求項４】
１対の第１補強長尺材と、１対の第２補強長尺材と、複数の固定バンドとを有し、
前記１対の第１補強長尺材は、既設の電柱の足場ボルトを挿入可能な取付孔を有し、前記足場ボルトを前記取付孔に挿入して、互いに前記電柱を挟んで前記電柱の側面長さ方向に沿って取り付けられ、
前記１対の第２補強長尺材は、前記第１補強長尺材に対して前記電柱の円周方向にずれた位置で、互いに前記電柱を挟んで前記電柱の側面長さ方向に沿って取り付けられ、
前記固定バンドは前記電柱との間に前記第１補強長尺材および前記第２補強長尺材を挟んで前記電柱に巻き付けられて前記第１補強長尺材および前記第２補強長尺材を前記電柱に固定可能に設けられていることを、
特徴とする電柱補強工具。
【請求項５】
前記固定バンドは吊下孔を有し、前記電柱の径に合わせて長さを調整可能で、前記電柱に巻き付けられて固定可能であり、
前記第２補強長尺材は上端に前記吊下孔に引掛けて取付け可能なフックを有することを、
特徴とする請求項４記載の電柱補強工具。
【考案の詳細な説明】
【技術分野】
【０００１】
本考案は、電柱補強工具に関する。
【背景技術】
【０００２】
従来、既存の電柱を建て替えるとき、撤去作業中に強度不足の電柱が中段折損して、周囲に損害を及ぼしたり、作業者がケガをしたりする事故が発生する危険性があった。電柱の折損を防ぐものとして、電柱の上端部から地中深くまで、電柱の側面に沿って板状部材を取り付けてバンド部材で固定する補強装置があった（例えば、特許文献１参照）。
【先行技術文献】
【特許文献】
【０００３】
【特許文献１】特開２００９−４１３４３号公報
【考案の概要】
【考案が解決しようとする課題】
【０００４】
特許文献１に記載の補強装置は、電柱の寿命を延ばすためのものであり、建て替えのときに撤去する電柱を補強するために使用されるものではない。このため、板状部材を地中深くまで埋設する必要があり、取付作業が困難で、作業時間もかかるという課題があった。また、建て替え時に使用すると、電柱を切断するときに、板状部材が障害になり、作業しにくいという課題もあった。
【０００５】
本考案は、このような課題に着目してなされたもので、短時間で容易に電柱に取り付けることができ、電柱の切断や撤去も容易で、撤去作業時の電柱の中段折損を防止することができる電柱補強工具を提供することを目的とする。
【課題を解決するための手段】
【０００６】
上記目的を達成するために、本考案に係る電柱補強工具は、補強長尺材と複数の固定バンドとを有し、前記補強長尺材は、既設の電柱の足場ボルトを挿入可能な取付孔を有し、前記足場ボルトを前記取付孔に挿入して前記電柱の側面長さ方向に沿って取り付けられ、前記固定バンドは前記電柱との間に前記補強長尺材を挟んで前記電柱に巻き付けられて前記補強長尺材を前記電柱に固定可能に設けられていることを、特徴とする。
【０００７】
本考案に係る電柱補強工具は、補強長尺材を複数の固定バンドにより電柱に固定して使用される。電柱の各足場ボルトをいずれかの取付孔に挿入して、補強長尺材を取り付けることにより、補強長尺材がズレ落ちたり横に移動したりするのを防ぐことができる。本考案に係る電柱補強工具は、埋設作業が不要であり、比較的短時間で容易に電柱に取り付けることができる。
【０００８】
本考案に係る電柱補強工具は、既設の電柱の側面長さ方向に取り付けることができ、その部分が折損しないよう補強することができる。電柱を建て替えるときには、電柱の側面長さ方向に沿って、所定の間隔を開けて複数を取り付けることにより、その間隔を開けた部分以外の区間を補強することができる。また、間隔を開けた部分で電柱を切断して撤去することにより、容易に電柱の切断や撤去を行うことができる。補強した状態で切断および撤去作業を行うことができ、撤去作業時に、電柱の中段折損を防止することができる。
【０００９】
本考案に係る電柱補強工具は、補強長尺材が２つまたはそれ以上から成っていてもよい。補強長尺材が２つから成る場合、それぞれを電柱の反対側の側面に取り付けることができ、補強強度をより高めることができる。また、取付孔を有さない長尺材を１または複数有し、それぞれ固定バンドで固定可能であってもよい。この場合、電柱の周囲の複数箇所で、電柱の側面に沿って補強長尺材および長尺材を取り付けることができ、補強強度をさらに高めることができる。
【００１０】
本考案に係る電柱補強工具で、前記補強長尺材は複数の部材を連結して成ることが好ましい。この場合、補強長尺材を構成する各部材を、運搬しやすく取付作業を行いやすい長さや重さにすることにより、電柱への取付作業をさらに容易にすることができる。
本考案に係る電柱補強工具で、前記取付孔は前記補強長尺材の長さ方向に直列に複数設けられていることが好ましい。この場合、電柱の側面長さ方向に沿って補強長尺材の取付位置を調整可能である。
【００１１】
特に、本考案に係る電柱補強工具は、１対の第１補強長尺材と、１対の第２補強長尺材と、複数の固定バンドとを有し、前記１対の第１補強長尺材は、既設の電柱の足場ボルトを挿入可能な取付孔を有し、前記足場ボルトを前記取付孔に挿入して、互いに前記電柱を挟んで前記電柱の側面長さ方向に沿って取り付けられ、前記１対の第２補強長尺材は、前記第１補強長尺材に対して前記電柱の円周方向にずれた位置で、互いに前記電柱を挟んで前記電柱の側面長さ方向に沿って取り付けられ、前記固定バンドは前記電柱との間に前記第１補強長尺材および前記第２補強長尺材を挟んで前記電柱に巻き付けられて前記第１補強長尺材および前記第２補強長尺材を前記電柱に固定可能に設けられていることが好ましい。
【００１２】
この場合、電柱の各足場ボルトをいずれかの取付孔に挿入して、各第１補強長尺材を取り付けることにより、各第１補強長尺材がズレ落ちたり横に移動したりするのを防ぐことができる。電柱の周囲の４箇所で、電柱の側面に沿って各第１補強長尺材および各第２補強長尺材を取り付けることができ、補強強度が高い。
【００１３】
本考案に係る電柱補強工具で、前記固定バンドは吊下孔を有し、前記電柱の径に合わせて長さを調整可能で、前記電柱に巻き付けられて固定可能であり、前記第２補強長尺材は上端に前記吊下孔に引掛けて取付け可能なフックを有することが好ましい。この場合、上端部の固定バンドを電柱に取り付けた後、各第２補強長尺材を取り付けることができ、取付作業が容易である。
【考案の効果】
【００１４】
本考案によれば、短時間で容易に電柱に取り付けることができ、電柱の切断や撤去も容易で、撤去作業時の電柱の中段折損を防止することができる電柱補強工具を提供することができる。
【図面の簡単な説明】
【００１５】
【図１】本考案の実施の形態の電柱補強工具の（ａ）上部第１補強材を示す正面図、（ｂ）上部第１補強材を示す右側面図、（ｃ）連結第１補強材を示す正面図、（ｄ）連結第１補強材を示す右側面図である。
【図２】本考案の実施の形態の電柱補強工具の（ａ）上部第２補強材を示す正面図、（ｂ）上部第２補強材を示す右側面図、（ｃ）連結第２補強材を示す正面図、（ｄ）連結第２補強材を示す右側面図である。
【図３】本考案の実施の形態の電柱補強工具の固定バンドを示す（ａ）小さい径に対応した時の平面図、（ｂ）小さい径に対応した時の正面図、（ｃ）大きい径に対応した時の平面図、（ｄ）大きい径に対応した時の正面図である。
【図４】本考案の実施の形態の電柱補強工具の使用状態を示す（ａ）正面図、（ｂ）右側面図である。
【考案を実施するための形態】
【００１６】
以下、図面に基づき本考案の実施の形態について説明する。
図１乃至図４は、本考案の実施の形態の電柱補強工具を示している。
図１乃至図４に示すように、電柱補強工具１０は、既設の電柱１の側面長さ方向に取り付けて使用され、１対の第１補強長尺材１１と、１対の第２補強長尺材１２と、複数の固定バンド１３とを有している。
【００１７】
図１に示すように、各第１補強長尺材１１は、上部第１補強材２１および連結第１補強材２２の２種類の部材から構成されている。上部第１補強材２１は、鋼製で、細長く、上端に設けられた把持用の取っ手２１ａと、下端に締付可能に設けられた六角ボルト２１ｂとを有している。また、上部第１補強材２１は、取っ手２１ａと六角ボルト２１ｂとの間に、長さ方向に直列に所定の間隔で設けられた複数の取付孔２１ｃを有している。各取付孔２１ｃは、電柱１の足場ボルト２を挿入可能な大きさを有し、足場ボルト２の間隔を考慮した間隔で形成されている。各取付孔２１ｃは、足場ボルト２の間隔ズレや芯ズレに対応できるよう、長穴として形成されている。複数の取付孔２１ｃは、電柱１の側面長さ方向に沿って第１補強長尺材１１の取付位置を調整可能である。上部第１補強材２１は、両端部に、固定バンド１３を取り付ける位置の目安となるよう黒色に塗られた位置表示２１ｄを有している。
【００１８】
連結第１補強材２２は、鋼製で、細長く、上端から上方および正面側に突出するよう設けられた連結部２２ａと、連結部２２ａよりやや下方に設けられた把持用の取っ手２２ｂと、下端に締付可能に設けられた六角ボルト２２ｃとを有している。連結部２２ａは、六角ボルト２１ｂ、２２ｃを挿入可能に形成されたダルマ穴２２ｄを有している。また、連結第１補強材２２は、連結部２２ａと六角ボルト２２ｃとの間に、長さ方向に沿って所定の間隔で設けられた複数の取付孔２２ｅを有している。各取付孔２２ｅは、電柱１の足場ボルト２を挿入可能な大きさを有し、足場ボルト２の間隔を考慮した間隔で形成されている。各取付孔２２ｅは、足場ボルト２の間隔ズレや芯ズレに対応できるよう、長穴として形成されている。連結第１補強材２２は、下端部に、固定バンド１３を取り付ける位置の目安となるよう黒色に塗られた位置表示２２ｆを有している。
【００１９】
各第１補強長尺材１１は、上部第１補強材２１の六角ボルト２１ｂを、連結第１補強材２２のダルマ穴２２ｄに挿入して締め付けることにより、上部第１補強材２１に連結第１補強材２２を連結可能になっている。また、連結第１補強材２２の六角ボルト２２ｃを、他の連結第１補強材２２のダルマ穴２２ｄに挿入して締め付けることにより、連結第１補強材２２同士を連結可能になっている。各第１補強長尺材１１は、連結第１補強材２２を複数連結可能であり、所望の長さに構成可能になっている。
【００２０】
図２に示すように、各第２補強長尺材１２は、上部第２補強材２３および連結第２補強材２４の２種類の部材から構成されている。上部第２補強材２３は、鋼製で、細長く、上端から上方に突出して設けられたフック２３ａと、フック２３ａよりやや下方に設けられた把持用の取っ手２３ｂと、下端に締付可能に設けられた六角ボルト２３ｃとを有している。また、上部第２補強材２３は、フック２３ａを引掛けることにより、吊り下げ可能になっている。
【００２１】
連結第２補強材２４は、鋼製で、細長く、上端から上方および正面側に突出するよう設けられた連結部２４ａと、連結部２４ａよりやや下方に設けられた把持用の取っ手２４ｂとを有している。連結部２４ａは、六角ボルト２３ｃを挿入可能に形成されたダルマ穴２４ｃを有している。各第２補強長尺材１２は、上部第２補強材２３の六角ボルト２３ｃを、連結第２補強材２４のダルマ穴２４ｃに挿入して締め付けることにより、上部第２補強材２３に連結第２補強材２４を連結可能になっている。
【００２２】
図３に示すように、固定バンド１３は、鋼製で、第１バンド部材２５と第２バンド部材２６と締付部材２７とを有している。第１バンド部材２５は、中間位置に連結吊下部２５ａを有し、連結吊下部２５ａの両側に細長いバンド部材が取り付けられている。連結吊下部２５ａは、複数の吊下孔１３ａを有している。第１バンド部材２５は、一端に締付部材２７が固定されており、連結吊下部２５ａの他端側に、長さ方向に沿って間隔を開けて設けられた２つの第１調整孔２５ｂを有している。
【００２３】
第２バンド部材２６は、中間位置に連結吊下部２６ａを有し、連結吊下部２６ａの両側に細長いバンド部材が取り付けられている。連結吊下部２６ａは、複数の吊下孔１３ａを有している。第２バンド部材２６は、連結吊下部２６ａの一端側に、長さ方向に沿って間隔を開けて設けられた２つの第２調整孔２６ｂを有している。また、連結吊下部２６ａの他端側に、長さ方向に沿って所定の間隔を開けて設けられた複数の長さ調整孔（図示せず）を有している。第２バンド部材２６は、いずれかの第２調整孔２６ｂにいずれかの第１調整孔２５ｂを合わせて、ボルト３１ａとナット３１ｂで固定することにより、第１バンド部材２５と連結されている。
【００２４】
締付部材２７は、固定部２７ａと調整部２７ｂと締付ボルト２７ｃと締付ナット２７ｄとを有している。固定部２７ａは、第１バンド部材２５の一端に固定されている。また、固定部２７ａは、吊下孔１３ａを有している。調整部２７ｂは、第２バンド部材２６の他端側の長さ調整孔に、ボルト３１ａとナット３１ｂで着脱可能に固定されるよう構成されている。締付ボルト２７ｃは、調整部２７ｂに取り付けられており、締付ナット２７ｄが螺合されている。締付部材２７は、締付ナット２７ｄを締めることにより、固定部２７ａに締付ボルト２７ｃを固定可能になっており、締付ナット２７ｄを緩めることにより、固定部２７ａと締付ボルト２７ｃとを分離可能になっている。
【００２５】
固定バンド１３は、調整部２７ｂを固定する長さ調整孔の位置と、第１バンド部材２５と第２バンド部材２６とを固定する第１調整孔２５ｂと第２調整孔２６ｂの位置とを選択することにより、全体の長さを調整可能になっている。また、固定バンド１３は、電柱１の径に合わせて長さを調整した後、電柱１に巻き付けて締付ナット２７ｄで締め付けることにより、電柱１に固定可能になっている。このため、固定バンド１３は、電柱１との間に第１補強長尺材１１および第２補強長尺材１２を挟んで電柱１に巻き付けられて第１補強長尺材１１および第２補強長尺材１２を電柱１に固定可能である。固定バンド１３は、電柱１に固定したとき、各吊下孔１３ａのうちのいずれかの２つを、電柱１の反対側に位置付け可能になっている。
【００２６】
なお、具体的な一例では、第１長尺補強材１１は、幅が６５ｍｍである。各取付孔２１ｃ、２２ｅは、幅が３６ｍｍ、長軸の長さが７０ｍｍである。各取付孔２１ｃ、２２ｅは、足場ボルト２の上下間隔が４５０ｍｍであるため、２２５ｍｍ間隔で形成されている。第２補強長尺材１２は、幅が５０ｍｍである。
【００２７】
固定バンド１３は、４つから成り、それぞれ７つの長さ調整孔を有している。固定バンド１３は、電柱径がφ１９５ｍｍ〜φ３４０ｍｍの範囲に取付可能である。固定バンド１３は、固定する第１調整孔２５ｂと第２調整孔２６ｂの位置を調整することにより、電柱径がφ１９５〜２７０ｍｍと小さいときには図３（ａ）に示すように短くして、電柱径がφ２６０〜３４０ｍｍと大きいときには図３（ｂ）に示すように長くして、電柱１に取付可能になっている。また、それぞれの場合に、２つの吊下孔１３ａを、電柱１の反対側に位置付け可能になっている。
【００２８】
図４に示すように、電柱補強工具１０は、以下のようにして電柱１に取り付けることができる。まず、上部第１補強材２１の取付孔２１ｃに足場ボルト２を挿入して、各上部第１補強材２１を電柱１の両側の側面に、互いに電柱１を挟むよう取り付ける。各上部第１補強材２１の上端側の位置表示２１ｄに従って、固定バンド１３を電柱１に巻き付け、各上部第１補強材２１とともに電柱１に固定する。このとき、足場ボルト２により各第１補強長尺材１１がズレ落ちたり横に移動したりしないため、固定バンド１３を取り付けやすい。固定バンド１３を取り付けるときには、各上部第１補強材２１から約９０度ずれた中間位置に、いずれかの吊下孔１３ａが位置するよう取り付ける。その位置の吊下孔１３ａにフック２３ａを引掛けて、電柱１の両側の側面に、互いに電柱１を挟むよう１対の上部第２補強材２３を吊り下げる。これにより、各上部第２補強材２３が落ちたり移動したりするのを防ぐことができる。１対の上部第２補強材２３は、上部第１補強材２１に対して電柱１の円周方向に約９０度ずれた位置で取り付けられる。
【００２９】
次に、各上部第１補強材２１の下端側の位置表示２１ｄに従って、固定バンド１３を電柱１に巻き付け、上部第１補強材２１および上部第２補強材２３とともに電柱１に固定する。各上部第１補強材２１の六角ボルト２１ｂをダルマ穴２２ｄに挿入して固定し、取付孔２２ｅに足場ボルト２を挿入して、各連結第１補強材２２を連結する。各上部第２補強材２３の六角ボルト２３ｃを、各連結第２補強材２４のダルマ穴２４ｃに挿入して固定し、各連結第２補強材２４を連結する。連結した各連結第１補強材２２の位置表示２２ｆに従って、固定バンド１３を電柱１に巻き付け、連結第１補強材２２および連結第２補強材２４とともに電柱１に固定する。
【００３０】
さらに、既に連結された各連結第１補強材２２の六角ボルト２２ｃをダルマ穴２２ｄに挿入して固定し、取付孔２２ｅに足場ボルト２を挿入して、他の連結第１補強材２２を連結する。下に連結した各連結第１補強材２２の位置表示２２ｆに従って、固定バンド１３を電柱１に巻き付け、連結第１補強材２２および連結第２補強材２４とともに電柱１に固定する。こうして、電柱補強工具１０を、既設の電柱１の側面長さ方向に取り付けることができる。
【００３１】
電柱補強工具１０は、電柱１の各足場ボルト２を取付孔２１ｃ、２２ｅに挿入して、各第１補強長尺材１１を取り付けるため、取付作業中でも、各第１補強長尺材１１がズレ落ちたり横に移動したりするのを防ぐことができ、取り付けやすい。各上部第２補強材２３を上端部の固定バンド１３に吊り下げるため、取付作業中でも、各第２補強長尺材１２がズレ落ちたり移動したりするのを防ぐことができ、取り付けやすい。連結第１補強材２２および連結第２補強材２４も、それぞれ上部第１補強材２１および上部第２補強材２３に固定して吊り下げた状態で作業を行うことができ、固定バンド１３の取付作業等が容易である。
【００３２】
電柱補強工具１０は、埋設作業が不要であり、比較的短時間で容易に電柱１に取り付けることができる。また、上部第１補強材２１、連結第１補強材２２、上部第２補強材２３、連結第２補強材２４がそれぞれ運搬しやすく、取付作業を行いやすい長さ（２ｍ以下）および重さ（６ｋｇ以下）で構成されているため、電柱１への取付作業がさらに容易である。また、各部材が取っ手２１ａ、２２ｂ、２３ｂ、２４ｂを有しているため、持ちやすく扱いやすい。
【００３３】
電柱補強工具１０は、既設の電柱１の側面長さ方向に取り付けることができ、その部分が折損しないよう補強することができる。電柱１を建て替えるときには、電柱１の側面長さ方向に沿って、所定の間隔を開けて複数を取り付けることにより、その間隔を開けた部分以外の区間を補強することができる。また、間隔を開けた部分で電柱１を切断して分割し、撤去することにより、容易に電柱１の切断や撤去を行うことができる。補強した状態で切断および撤去作業を行うことができ、撤去作業時に、電柱１の中段折損を防止することができる。
【００３４】
上部第１補強材２１と連結第１補強材２２との連結作業、連結第１補強材２２同士の連結作業、上部第２補強材２３と連結第２補強材２４との連結作業では、それぞれ六角ボルト２１ｂを外すことなく行うことができ、電柱１の高い場所でも容易に作業を行うことができる。また、固定バンド１３の締付作業でも、締付ボルト２７ｃや締付ナット２７ｄを外すことなく作業を行うことができ、電柱１の高い場所でも容易に作業を行うことができる。
【００３５】
なお、電柱補強工具１０は、電柱を補強するためには、１対の第１補強長尺材１１と１対の第２補強長尺材１２とを全て使用しなくとも、第１補強長尺材１１を１本だけ使用しても、１対の第１補強長尺材１１だけを使用しても、１本の第１補強長尺材１１と１本の第２補強長尺材１２とを使用しても、１対の第１補強長尺材１１と１本の第２補強長尺材１２とを使用しても、１本の第１補強長尺材１１と１対の第２補強長尺材１２とを使用してもよい。これらの場合でも、補強強度は低下するものの、撤去作業時の電柱の中段折損を防止することはできる。
【符号の説明】
【００３６】
１  電柱
２  足場ボルト
１０  電柱補強工具
１１  第１補強長尺材
２１  上部第１補強材
２１ａ  取っ手
２１ｂ  六角ボルト
２１ｃ  取付孔
２１ｄ  位置表示
２２  連結第１補強材
２２ａ  連結部
２２ｂ  取っ手
２２ｃ  六角ボルト
２２ｄ  ダルマ穴
２２ｅ  取付孔
２２ｆ  位置表示
１２  第２補強長尺材
２３  上部第２補強材
２３ａ  フック
２３ｂ  取っ手
２３ｃ  六角ボルト
２４  連結第２補強材
２４ａ  連結部
２４ｂ  取っ手
２４ｃ  ダルマ穴
１３  固定バンド
２５  第１バンド部材
２５ａ  連結吊下部
２５ｂ  第１調整孔
２６  第２バンド部材
２６ａ  連結吊下部
２６ｂ  第２調整孔
２７  締付部材
２７ａ  固定部
２７ｂ  調整部
２７ｃ  締付ボルト
２７ｄ  締付ナット
１３ａ  吊下孔
３１ａ  ボルト
３１ｂ  ナット
【図１】
0003177663.tif 000003
【図２】
0003177663.tif 000004
【図３】
0003177663.tif 000005
【図４】
0003177663.tif 000006